(57)【特許請求の範囲】
【請求項１】
画像データを画像形成装置の色変換特性に対応した補正特性で補正する画像処理装置において該補正特性を設定するのに必要な前記画像形成装置の色変換特性を設定する装置であって、
外部の画像入力装置の色変換特性を設定するための標準チャートについて、該標準チャートに配色された色の測色値を格納した測色値格納手段と、
前記標準チャートを前記画像入力装置で読み取らせることにより得られる標準画像データと前記測色値格納手段に格納された測色値とを比較することにより、該画像入力装置の色変換特性を設定する入力特性設定手段と、
前記画像形成装置の色変換特性を設定するためのテストチャートを前記画像形成装置に形成させるために、画像データを、テストデータとして予め格納したテストデータ格納手段と、
前記テストデータに基づいて前記画像形成装置により形成されたテストチャートを前記画像入力装置で読み取らせることにより得られる参照画像データに対し、前記入力特性設定手段にて設定された該画像入力装置の色変換特性に基づいて色変換処理を施す色変換手段と、
前記テストデータ格納手段に格納されたテストデータと、前記色変換手段により色変換された変換済参照画像データを構成する色情報とを比較することにより、前記画像形成装置の色変換特性を設定する出力特性設定手段と、
前記標準画像データのうちの予め定められた画像領域の色情報と、前記参照画像データのうちの予め定められた画像領域の色情報との差に基づいて、該両画像データの適否を判断し、該判断の結果に基づいて所定の情報を外部に通知する通知手段と、
を備えたことを特徴とする画像形成装置の色変換特性設定装置。
【請求項２】
前記標準画像データのうちの予め定められた画像領域の色情報は、白色領域と黒色領域との色情報を含み、前記参照画像データのうちの予め定められた画像領域の色情報は、白色領域と黒色領域との色情報を含むこと
を特徴とする請求項１に記載の画像形成装置の色変換特性設定装置。
【請求項３】
前記標準画像データを構成する色情報に基づいて、該標準画像データの適否を判断し、該判断の結果に基づいて、所定の情報を外部に通知する第１通知手段を備えたことを特徴とする請求項１又は２に記載の画像形成装置の色変換特性設定装置。
【請求項４】
前記参照画像データ又は前記変換済参照画像データを構成する色情報に基づいて、該画像データの適否を判断し、該判断の結果に基づいて、所定の情報を外部に通知する第２通知手段を備えたことを特徴とする請求項１〜３の何れかに記載の画像形成装置の色変換特性設定装置。
【請求項５】
前記標準チャートには識別情報が付されているとともに、前記測色値格納手段には前記識別情報に対応させて当該標準チャートの測色値が格納されており、
前記入力特性設定手段は、前記標準チャートを前記画像入力装置で読み取らせることにより得られる標準画像データと前記測色値格納手段に該標準チャートの識別情報に対応して格納された測色値とを比較することにより、該画像入力装置の色変換特性を設定することを特徴とする請求項１〜４の何れかに記載の画像形成装置の色変換特性設定装置。
【発明の詳細な説明】
【０００１】
【発明の属する技術分野】
この発明は、画像データを画像形成装置の色変換特性に対応した補正特性で補正する画像処理装置において補正特性を設定するために画像形成装置の色変換特性を設定する色変換特性装置に関する。
【０００２】
【従来の技術】
従来、プリンタ等の画像形成装置に本来の色で画像を形成させるため、この画像形成装置が持つ色変換特性に応じた補正特性で、画像データを補正する画像処理装置が知られている。画像形成装置の色変換特性は、製品毎に異なったり、経時的に或いは使用環境に起因して変化したりすることから、補正特性は一概には決めることができないため、個々の画像形成装置の色変換特性に応じて補正特性を設定する必要がある。そこで、測色用のテストチャートを画像形成装置に実際に形成させ、このテストチャートを測色計で測色して得られた測色値と、テストチャートの画像データとに基づき、画像形成装置が持つ色変換特性を求め、これにより補正特性を設定する技術が開発されている。
【０００３】
【発明が解決しようとする課題】
しかし、補正特性を正確に設定するには、テストチャート上にパッチとして配色される色の数が多い（例えば７００色以上）ほど好ましいとされ、一つ一つのパッチについて測色する必要があるため、作業負担が大きいという問題もある。
【０００４】
そこで、測色計の代わりに、イメージスキャナやデジタルカメラなど、広い面積の色を１度に入力できる画像入力装置を用いて、テストチャート上の色をデータ化することが考えられる。しかし、測色計では機器に依存しない測色値を得ることができるのに対して、こうした画像入力装置は固有の色変換特性を有するから、これらによって得られる画像データは機器に依存するものとなる。しかも、その色変換特性には、画像形成装置の色変換特性と同様に、製品個体差や経時的変化などが存在する。そのため、画像形成装置の色変換特性に対応した補正特性を、画像入力装置を利用して正確に設定することはできなかった。
【０００５】
本発明は、こうしたことを背景としてなされたものであり、画像形成装置の色変換特性を、容易にしかも正確に設定できるようにすることを目的とする。
【０００６】
【課題を解決するための手段及び発明の効果】
上記課題を解決するためになされた本発明（請求項１記載）の画像画像形成装置の色変換特性設定装置においては、測色値格納手段が、外部の画像入力装置の色変換特性を設定するための標準チャートに配色された色の測色値を格納しており、この標準チャートを画像入力装置で読み取らせることにより得られる標準画像データと測色値格納手段に格納された測色値とを、入力特性設定手段が比較し、画像入力装置の色変換特性を設定する。
【０００７】
また、画像形成装置の色変換特性を設定するためのテストチャートを画像形成装置に形成させるために、テストデータ格納手段が、テストチャート形成用のテストデータを格納している。色変換手段は、このテストデータに基づいて画像形成装置により形成されたテストチャートを画像入力装置で読み取らせることにより得られる参照画像データに対し、上記設定された画像入力装置の色変換特性に基づいて色変換処理を施す。そして、出力特性設定手段が、テストデータと、変換済参照画像データを構成する色情報とを比較することにより、画像形成装置の色変換特性を設定する。
【０００８】
つまり、本発明の色変換特性設定装置においては、予め測色値が取得されている標準チャートを画像入力装置に読み取らせることにより、当該画像入力装置の色変換特性を求めておく。そして、画像形成装置で実際に形成されたテストチャートの色を画像入力装置が読み取って出力する参照画像データを、上記求めた色変換特性に基づいて変換する。この変換によって、変換後のデータ（つまり変換済参照画像データ）からは画像入力装置の色変換特性の影響が除かれるため、この変換済画像データとテストデータとを比較することにより、画像形成装置の色変換特性を正確に求めることができる。
【０００９】
画像入力装置は、広い面積の色を短時間に読み取ることができるものであるから、請求項１記載の色変換特性設定装置によれば、正確にしかも容易に画像形成装置の色変換特性を設定することができることになる。
また、請求項１記載の色変換特性設定装置では、通知手段が、標準画像データのうちの予め定められた画像領域の色情報と、参照画像データのうちの予め定められた画像領域の色情報と、の差に基づいて両画像データの適否を判断し、その判断の結果に基づいて所定の情報を外部に通知する。
即ち、標準画像データおよび参照画像データが、画像形成装置の色変換特性を設定するためのものとして適しているかどうかについて判断し、所定の情報（例えば、正確な色変換特性の設定が困難である旨の警告など）を外部に通知する。その結果、画像形成装置の色変換特性の設定が不正確となることや、不正確に行われたことに気づかない状態となることを回避でき、色変換特性設定装置の信頼性を更に高くすることができる。
次に、請求項２記載の色変換特性設定装置においては、標準画像データのうちの予め定められた画像領域の色情報は、白色領域と黒色領域との色情報を含み、参照画像データのうちの予め定められた画像領域の色情報は、白色領域と黒色領域との色情報を含む。
次に請求項３記載の色変換特性設定装置においては、第１通知手段が、標準画像データを構成する色情報に基づいて標準画像データの適否を判断し、その判断の結果に基づいて、所定の情報を外部に通知する。
【００１０】
即ち、標準画像データが画像入力装置の色変換特性（延いては、画像形成装置の色変換特性）を設定するためのものとして適しているかどうかについて判断し、所定の情報（例えば、正確な色変換特性の設定が困難である旨の警告など）を外部に通知する。その結果、画像形成装置の色変換特性の設定が不正確となることや、不正確に行われたことに気づかない状態となることを回避でき、色変換特性設定装置の信頼性を高くすることができる。
【００１１】
また請求項４記載の色変換特性設定装置においては、第２通知手段が、参照画像データ又は変換済参照画像データを構成する色情報に基づいて、当該画像データ（即ち参照画像データ又は変換済参照画像データ）の適否を判断し、その判断結果に基づいて、所定の情報を外部に通知する。
【００１２】
即ち、参照画像データ又は変換済参照画像データが、画像形成装置の色変換特性を設定するためのものとして適しているかどうかについて判断し、所定の情報（例えば、正確な色変換特性の設定が困難である旨の警告など）を外部に通知する。その結果、画像形成装置の色変換特性の設定が不正確となることや、不正確に行われたことに気づかない状態となることを回避でき、色変換特性設定装置の信頼性をより高くすることができる。
【００１３】
【００１４】
【００１５】
なお、標準チャートは所定の記録媒体（例えば印刷用紙）の上に形成されるものであるから、標準チャートを複数作成する場合に、標準チャートを作成する装置の個体差や経時変化などによって、それら全てに同じ色彩を再現することは困難である。このため、色彩が異なる複数の標準チャートについて得られた標準画像データを、共通の測色値と比較することとすると、画像入力装置の色変換特性、延いては、画像形成装置の色変換特性を設定する際、正確性に欠けることとなる。
【００１６】
そこで、請求項５記載の様に、標準チャートには識別情報を割り当てておき、測色値格納手段には、標準チャートの識別情報と対応づけて当該標準チャートの測色値を格納させ、入力特性設定手段については、標準チャートを画像入力装置で読み取らせることにより得られる標準画像データと、当該標準チャートの識別情報に対応して格納された測色値とを比較することにより、画像入力装置の色変換特性を設定するよう構成すると良い。
【００１７】
ここで識別情報は色の同一性を示すものであり、標準チャート毎に別々の番号を付すようにしてもよいし、同一の装置により同時期に作成された標準チャートには共通の番号として付すようにしてもよい。
この様に構成された請求項５記載の色変換特性設定装置によれば、標準チャートを画像入力装置で読み取らせることにより得られる標準画像データと、当該標準チャートの識別情報に対応して格納された測色値とを比較することにより、画像入力装置の色変換特性を設定することから、より正確な設定が可能である。
【００１８】
【発明の実施の形態】
以下に、本発明の一実施例を図面と共に説明する。
図１は、一実施例としての色変換特性設定装置２の構成を示すブロック図である。図１に示す様に、色変換特性設定装置２は、画像処理装置４、プリンタ６、イメージスキャナ８等を備えたコンピュータシステム１０に、ネットワーク１２を介して接続されている。このコンピュータシステム１０は、画像処理装置４において所定の補正特性で画像データを補正することにより、プリンタ６に忠実な色再現を行わせるように機能するものである。
【００１９】
そして、本実施例の色変換特性設定装置２は、画像処理装置４の補正特性を設定するために、プリンタ６の色変換特性を設定するよう機能するものとして構成されている。なお、プリンタ６が、請求項の「画像形成装置」に相当し、イメージスキャナ８が、請求項の「画像入力装置」に該当する。
【００２０】
色変換特性設定装置２は、ＣＰＵ、ＲＡＭ、ＲＯＭ、外部記憶装置などからなる一般的なコンピュータシステムにより構成されたものであり、測色値格納部２２、入力プロファイル作成部２４、テストデータ格納部２６、色変換部２８、出力プロファイル作成部３０、第１通知部３２、第２通知部３４および第３通知部３６が設けられている。
【００２１】
測色値格納部２２は、多数のパッチにより各種色彩が配色された標準チャートについて、その配色された色の測色値（本実施例では、Ｌ＊ａ＊ｂ＊値）を格納している。標準チャート４０は、イメージスキャナ８の色変換特性を設定するために用いられるものであり、識別情報が付されて配布されたものである。測色値格納部２２に格納された測色値は、配布前に測色することにより求められたものであり、対応する標準チャート４０を特定できるようにするため、標準チャート４０の識別情報と対応づけられている。なお、測色値格納部２２は、請求項の「測色値格納手段」に相当する。
【００２２】
入力プロファイル作成部２４は、標準チャート４０をイメージスキャナ８で読み取らせることにより得られた画像データである標準画像データ（本実施例ではＲＧＢ値）と、測色値格納部２２内の測色値とを比較することにより、イメージスキャナ８の色変換特性を設定するものである。この入力プロファイル作成部２４は、請求項の「入力特性設定手段」に相当する。
【００２３】
テストデータ格納部２６は、テストチャート４２をプリンタ６に形成させるために、画像データを、テストデータ（本実施例ではＲＧＢ値）として格納したものである。テストチャート４２は、多数のパッチにより各種色彩が配色されたものであり、プリンタ６の色変換特性を設定するために用いられる。なお、テストデータ格納部２６は、請求項の「テストデータ格納手段」に相当する。
【００２４】
色変換部２８は、プリンタ６により形成されたテストチャート４２をイメージスキャナ８で読み取らせることにより得られる参照画像データ（本実施例ではＲＧＢ値）に対し、イメージスキャナ８の色変換特性に基づいて色変換処理を行うものである。この色変換部２８は、請求項の「色変換手段」に相当する。
【００２５】
出力プロファイル作成部３０は、テストデータ格納部２６に格納されたテストデータと、色変換部２８により色変換された変換済参照画像データを構成する色情報（本実施例では、Ｌ＊ａ＊ｂ＊値）とを比較することにより、プリンタ６の色変換特性を設定するものである。この出力プロファイル作成部３０は、請求項の「出力特性設定手段」に相当する。
【００２６】
第１通知部３２は、標準画像データの適否、即ち、その標準画像データが、イメージスキャナ８の色変換特性（延いては、プリンタ６の色変換特性）を設定するためのものとして適しているかどうかについて判断し、その判断結果を外部に通知するものである。この第１通知部３２は、請求項の「第１通知部」に相当する。
【００２７】
また、第２通知部３４は、参照画像データの適否、即ち、その参照画像データが、プリンタ６の色変換特性を設定するためのものとして適しているかどうかについて判断し、その判断結果を外部に通知するものである。この第２通知部３４は、請求項の「第２通知手段」に相当する。
【００２８】
また、第３通知部３６は、標準画像データおよび参照画像データの適否を判断し、その判断結果を外部に通知するものである。この第３通知部３６は、請求項の「通知手段」に相当する。
以上の様に構成された色変換特性設定装置２により、プリンタ６の色変換特性は、以下の様に設定される。
【００２９】
まずコンピュータシステム１０のユーザが、標準チャート４０をイメージスキャナ８に読み取らせ、これにより得られる標準画像データを、標準チャート４０の識別情報と共に、色変換特性設定装置２に転送する。
すると、色変換特性設定装置２の入力プロファイル作成部２４は、その標準チャート４０に対応する測色値を、識別情報に基づいて測色値格納部２２から読み出す。そして、入力プロファイル作成部２４は、読み出した測色値と、標準画像データとに基づいて、イメージスキャナ８の色変換特性を求め、これを入力プロファイル（ＲＧＢ値とＬ＊ａ＊ｂ＊値とを対応付けるルックアップテーブル（ＬＵＴ））として設定する。
【００３０】
またコンピュータシステム１０のユーザは、テストデータ格納部２６のテストデータを、色変換特性設定装置２からコンピュータシステム１０にダウンロードし、このテストデータに色補正を施さないでプリンタ６に入力することにより、テストチャート４２を形成させる。そして、このテストチャート４２をイメージスキャナ８によって読み取らせ、これにより得られる参照画像データを、色変換特性設定装置２に転送する。
【００３１】
すると、色変換特性設定装置２の色変換部２８は、入力プロファイル作成部２４にて設定された入力プロファイルに基づいて、参照画像データを構成するＲＧＢ値を、Ｌ＊ａ＊ｂ＊値に変換する。これにより、変換済参照画像データが生成される。
【００３２】
出力プロファイル作成部３０は、変換済参照画像データを構成するＬ＊ａ＊ｂ＊値とテストデータ格納部２６のテストデータとを比較することにより、プリンタ６の色変換特性を求め、これを出力プロファイル（ＲＧＢ値とＬ＊ａ＊ｂ＊値とを対応付けるルックアップテーブル）として設定する。
【００３３】
こうして作成された出力プロファイルは、コンピュータシステム１０に転送され、この出力プロファイルに基づいて、画像処理装置４における補正特性が設定される。
なお、標準チャート４０には、例えば図２に示す様に、オプティカル・デンシティが、0.1，0.3，…，2.5と変化するようにパッチ４４が形成されており、そのため、何ら異常がなければ、標準画像データのうちの予め定められた所定の画像領域には所定の階調が現れることになる。図３に示すように、認識可能なオプティカルデンシティ（O.D.）レンジとしてＡ１で示す範囲が望ましい場合に、イメージスキャナ８の認識精度の低下などにより、Ａ２で示す範囲にまで狭くなった場合には、その標準画像データは、プリンタ６の色変換特性を設定するためのものとして適さないと考えられる。
【００３４】
そこで、第１通知部３２は、標準画像データが色変換特性設定装置２に転送されると、その標準画像データを構成する色情報（ＲＧＢ値）に基づいて、所定の画像領域に所定の階調が正常に現れているかどうかなどを判断することにより、当該標準画像データの適否を判断し、必要に応じて、コンピュータシステム１０のユーザに対して警告を通知するように構成されている。
【００３５】
また、テストデータは、テストチャート４２の所定領域において、原色ごとにグラデーションパッチ４６が形成されるように構成されている。例えばシアン（Cyan）のグラデーションパッチ４６は、図４に示す様に、ノーマルシアン（Normal Cyan）のインクおよびライトシアン（Light Cyan）のインクを組み合わせることにより形成される。ここで、例えばノーマルシアンのインクの出力量が少ない場合には、当該グラデーションパッチ４６の濃度の最大値が小さくなる。またライトシアンのインクが不足している場合には、Ｂ１で示す領域において階調が現れなくなり、ノーマルシアンのインクが不足している場合には、Ｂ２で示す領域において階調が現れなくなる。こうした場合には、その参照画像データは、プリンタ６の色変換特性を設定するためのものとして適さないと考えられる。
【００３６】
そこで、第２通知部３４は、参照画像データが色変換特性設定装置２に転送されると、その参照画像データを構成する色情報（ＲＧＢ値）に基づいて、所定の画像領域に所定の階調または所定の濃度が正常に現れているかどうかなどを判断することにより、当該参照画像データの適否を判断し、必要に応じて、コンピュータシステム１０のユーザに対して警告を通知するように構成されている。
【００３７】
また、標準チャートを読み取った際のイメージスキャナ８の色変換特性と、テストチャートを読み取った際のイメージスキャナ８の色変換特性とが異なっている場合、プリンタ６の色変換特性を正確に設定することは困難である。また、テストチャートが形成される記録媒体が適切なものでない場合、そのテストチャートには色が忠実に再現されていない可能性がある。
【００３８】
そこで、第３通知部３６は、標準データおよび参照画像データが色変換特性設定装置２に転送されると、その標準データのうちの予め定められた画像領域（白色部及び黒色部）における色情報と、参照画像データのうちの対応する画像領域（白色部及び黒色部）における色情報との差に基づいて、当該標準データおよび参照画像データの適否を判断し、その結果、必要に応じて、コンピュータシステム１０のユーザに対して警告を通知するように構成されている。
【００３９】
以上の様に、本実施例の色変換特性設定装置２においては、予め測色値が取得されている標準チャート４０をイメージスキャナ８に読み取らせることにより、当該イメージスキャナ８の色変換特性を求めておく。そして、プリンタ６で実際に形成されたテストチャートの色をイメージスキャナ８が読み取って出力する参照画像データを、上記求めた色変換特性に基づいて変換する。この変換によって、変換後のデータ（つまり変換済参照画像データ）からはイメージスキャナ８の色変換特性の影響が除かれるため、この変換済画像データとテストデータとを比較することにより、プリンタ６の色変換特性を正確に求めることができる。そして、イメージスキャナ８は、広い面積の色を短時間に読み取ることができるものであるから、正確にしかも容易にプリンタ６の色変換特性を設定することができることになる。
【００４０】
また、本実施例の色変換特性設定装置２においては、標準画像データがイメージスキャナ８の色変換特性（延いては、プリンタ６の色変換特性）を設定するためのものとして適しているかどうかについて判断し、所定の情報を外部に通知する。そのため、プリンタ６の色変換特性の設定が不正確となることや、不正確に行われたことに気づかない状態となることを回避でき、色変換特性設定装置２の信頼性を高くすることができる。
【００４１】
また、本実施例の色変換特性設定装置２においては、参照画像データを構成する色情報に基づいて、当該参照画像データの適否を判断し、その判断結果に基づいて、所定の情報を外部に通知する。そのため、プリンタ６の色変換特性の設定が不正確となることや、不正確に行われたことに気づかない状態となることを回避でき、色変換特性設定装置２の信頼性をより高くすることができる。
【００４２】
また、本実施例の色変換特性設定装置２においては、標準画像データのうちの予め定められた画像領域の色情報と、参照画像データのうちの予め定められた画像領域の色情報と、の差に基づいて両画像データの適否を判断し、その判断の結果に基づいて所定の情報を外部に通知する。そのため、プリンタ６の色変換特性の設定が不正確となることや、不正確に行われたことに気づかない状態となることを回避でき、色変換特性設定装置の信頼性を更に高くすることができる。
【００４３】
また、各標準チャート４０には識別情報が割り当てられており、本実施例の色変換特性設定装置２においては、標準チャート４０をイメージスキャナ８で読み取らせることにより得られる標準画像データと、当該標準チャート４０の識別情報に対応して格納された測色値とを比較することにより、イメージスキャナ８の色変換特性を設定することから、より正確な設定が可能である。
【００４４】
以上、本発明の一実施例について説明したが、本発明は上記実施例に限定されるものではなく、種々の態様をとることができる。
例えば、上記実施例では、第２通知部３４が、参照画像データを構成する色情報に基づいて当該画像データの適否を判断するものと説明したが、これに限られるものではなく、変換済参照画像データを構成する色情報に基づいて、当該変換済参照画像データの適否を判断するように構成しても良い。その様にしても、同様の効果を得ることができる。
【００４５】
また、上記実施例では、第３通知部３６が白色部及び黒色部の色（色情報）を比較するものとして説明したが、これら白、黒の無彩色に限らず、有彩色でも良い。なお、比較すべき領域は、パッチが形成された部分であるか、地の部分であるかは問わない。
【００４６】
また、上記実施例では、色変換特性設定装置２と画像処理装置４とを別々のコンピュータで構成してネットワーク１２で接続するものと説明したが、この構成に限られるものではない。例えば、色変換特性設定装置２と画像処理装置４と同一のコンピュータにより構成しても良いし、更にプリンタ６などの画像形成装置に色変換特性設定装置と画像処理装置としての機能部分を組み込んでも良い。
【００４７】
また、上記実施例では、測色値格納部２２に格納される測色値としては、Ｌ＊ａ＊ｂ＊値、即ちＬ＊ａ＊ｂ＊表色系の値を用いるものとして説明したが、これに限られるものではなく、ＸＹＺ値、Ｌ＊ｕ＊ｖ＊値、ＣａｌｉｂｒａｔｅｄＲＧＢ値、ｓＲＧＢ値、ＮＴＳＣ信号値、ＹＣｂＣｒ値など、機器独立色の値を用いることができる。
【００４８】
また、上記実施例では、画像形成装置としてプリンタ６を例にとり、プリンタ６の色変換特性を設定するものとして説明したが、これに限られるものではなく、例えば複写機の色変換特性を設定することもできる。
また、上記実施例では、画像入力装置としてイメージスキャナ８を用いるものとして説明したが、これに限られるものではなく、例えばデジタルカメラなども用いることができる。
【図面の簡単な説明】
【図１】  実施例の色変換特性設定装置の構成を示すブロック図である。
【図２】  標準チャート上のパッチの一部を示す図である。
【図３】  イメージスキャナの読取精度が低い場合（点線）を示す図である。
【図４】  テストチャート上のパッチの一部を示す図である。
【符号の説明】
２…色変換特性設定装置
４…画像処理装置  ６…プリンタ
８…イメージスキャナ  ２２…測色値格納部
２４…入力プロファイル作成部
２６…テストデータ格納部  ２８…色変換部
３０…出力プロファイル作成部
３２…第１通知部  ３４…第２通知部
３６…第３通知部  ４０…標準チャート
４２…テストチャート
【図１】
0004765236.tif 000002
【図２】
0004765236.tif 000003
【図３】
0004765236.tif 000004
【図４】
0004765236.tif 000005